(57)【要約】【課題】その目的とするところは，ファンを駆動するモータの取り付け及び取り外しを簡単に行うことが可能な空気調和機を提供すること。【解決手段】モータ４の前面パネル部材１側は，空気と冷媒との熱交換を行う熱交換器２により塞がれている。また，ドレンパンなどの部材も前記モータ４の取り付け及び取り外しに干渉する。そこで，空気調和機Ａにおける長手方向（両矢印Ｌに沿う方向）における一方の端部付近に，前記モータ４の取り出し口６を形成しておく。これにより，前記取り出し口６を介して簡単に前記モータ４の取り付け及び取り外しを行うことが可能である。【選択図】図２
2007155244.tif 000002
【特許請求の範囲】
【請求項１】
空気調和機の前面を形成する前面外装部材の背面側に当該空気調和機の一の方向略全域に亘って配置された熱交換手段と，
前記熱交換手段の背面側の前記一の方向における一方の端部付近に配置され前記熱交換手段の背面側に配置された送風手段を駆動するモータと，を具備し，
前記モータの取り出し口が，当該空気調和機の外装の前記一の方向における前記一方の端部側に形成されてなることを特徴とする空気調和機。
【請求項２】
前記モータの取り出し口を開閉可能に構成するものであり当該空気調和機の外装の一部を形成する外装蓋部材を更に具備する請求項１に記載の空気調和機。
【請求項３】
前記モータを支持する部材であって，前記外装蓋部材が開かれた状態で前記取り出し口を通じて着脱可能なモータ支持部材を具備してなる請求項１又は２のいずれかに記載の空気調和機。
【発明の詳細な説明】
【技術分野】
【０００１】
本発明は，ファンとそれを駆動するモータとを具備する空気調和機に関するものであり，前記モータの取り付け及び取り出しを簡単に行うことが可能な空気調和機に関するものである。
【背景技術】
【０００２】
空気調和機は，所定の冷媒と吸気された空気との熱交換を行い，その熱交換後の空気を排気することにより，空気温度を調節するものである。
図３は，従来例に係る空気調和機Ｂの概略構成図である。以下，図３を参照しつつ，従来例に係る空気調和機Ｂの概略構成について説明する。
図３（ａ）に示されるように，従来例に係る空気調和機Ｂは，所定方向（図３（ａ）の両矢印Ｌに沿う方向。以下，Ｌ方向という。）に沿って長尺状に形成された略直方体状の外装部材の内部に，前記空気の吸気，排気，前記空気と前記所定の冷媒との熱交換等に用いられる様々な構成要素が設けられたものとして構成される。
前記外装部材のうち吸気及び排気が行われる前面側には，前記外装部材の他の部分とは独立して取り外し可能な，前面パネル部材１（空気調和機Ｂの前面を形成する前面外装部材の一例）が設けられている。
図３（ｂ）に示されるように，前記前面パネル部材１には空気の吸込口１ａ及び排気口１ｂが形成されている。また，前記吸込口１ａは，格子形状の部材である吸込グリル１ｃにより覆われている。
【０００３】
図３（ｃ）は，前記空気調和機Ｂから前記前面パネル部材１を取り外した状態を示す斜視図である。
図３（ｃ）に示されるように，前記外装部材の前面を形成する前記前面パネル部材１の背面側には，前記Ｌ方向（一の方向の一例）に沿って前記空気調和機Ｂの略全域に亘って熱交換器２が配置されている。前記吸込グリル１ｃから吸い込まれた空気は，前記熱交換器２において前記所定の冷媒と熱交換された後，前記排気口１ｂより排気される。尚，前記熱交換器２は，その上方の端部に沿う回動軸Ｊの周りに回動可能に支持されており，所定の取り付け位置から変位可能である。
図３（ｄ）は，前記空気調和機Ｂの熱交換器２の更に奥部を表す斜視図である。尚，図３（ｄ）は，便宜上前記外装部材のうち矢印Ｏで示される面を透視して描いたものである。
図３（ｄ）に示されるように，前記熱交換器２の更に奥部（背面側）には，吸気及び排気を促す空気流を生成するファン３（送風手段の一例），該ファン３を回転駆動するモータ４が配設されている。
前記ファン３は，前記Ｌ方向に沿う方向に長尺状に形成されている。また，前記モータ４は，前記ファン３の長手方向の一方の端部にその駆動軸が連結されている。つまり，前記モータ４は，前記空気調和機Ｂの内部のうち，前記Ｌ方向における一方の端部付近に配置されている。
また，前記熱交換器２の配置位置の下方には，前記熱交換器２において生じる凝縮水（ドレン水）を貯水するドレンパン５が設けられている。
一方，特許文献１には，空気調和機における熱交換器の取付構造（固定装置）について示されている。
【特許文献１】特開２０００−１７９９３１号公報
【発明の開示】
【発明が解決しようとする課題】
【０００４】
上述したような構成では，以下のような問題点があった。
ファン３を駆動するモータ４は定期的な交換を要するものであり，また，空気調和機のメンテナンス時等においてもしばしば取り付け及び取り外しが行われる。
しかしながら，図４の断面図に示されるように，前記モータ４は前面パネル部材１，熱交換器２の更に奥部に位置するので，前記前面パネル部材１，前記熱交換器２を含む様々な構成要素を取り外さなければ，前記モータ４の取り外しを行うことが出来ない。また，前記モータ４の取り外しに必要となる上記の構成要素の取り外し作業を，前記空気調和機が例えば壁面などに取り付けられた状態で行うことは困難である。そのため，従来は，前記モータ４の取り外しは，ポンプダウン（冷媒を配管から抜くこと）等を行った上で，空気調和機を前記壁面から取り外した状態で行われていた。この場合の熱交換器の取付構造は，例えば，特許文献１に示される構造等が採用される。
このように，前記モータ４の交換時には非常に面倒で煩雑な作業が必要となっていた。
【０００５】
ところで，上述の従来例に係る空気調和機Ｂでは，回動軸Ｊの周りに回動可能に前記熱交換器２が設けられていた。これにより，前記熱交換器２の取り外しを行わなくとも前記モータ４の取り外しが可能となっていた。
つまり，前記空気調和機Ｂでは，前記モータ４の取り外しは，前記前面パネル部材１，ドレンパン５等の部品を取り外した上で，前記熱交換器２を図４の矢印Ｍの方向に前記モータ４を引っ張り出すことにより行われる。
しかしながら，そのような作業を，前記空気調和機Ｂが前記壁面に取り付けられた状態で行うことはやはり困難であり，前記モータ４の取り外しは，ポンプダウンを行った上で，前記空気調和機Ｂを前記壁面から取り外した状態で行われていた。
このように，上述の従来例に係る空気調和機Ｂのように，前記熱交換器２を持ち上げ可能に構成するのみでは，前記モータ４の取り外しが十分に簡略化されたとまでは言い難かった。
従って，本発明は上記事情に鑑みてなされたものであり，その目的とするところは，ファンを駆動するモータの取り付け及び取り外しを一層簡単に行うことが可能な空気調和機を提供することにある。
【課題を解決するための手段】
【０００６】
上記目的を達成するために本発明は，空気調和機の前面を形成する前面外装部材の背面側に当該空気調和機の一の方向略全域に亘って熱交換器が形成されており，また，当該空気調和機の内部においてその熱交換器の背面側かつ前記一の方向の端部付近に配置されたモータの取り出し口が，当該空気調和機の外装の前記一の方向の端部側に形成されている空気調和機である。
このような構成によれば，前記熱交換器に遮られていない前記一の方向の端部側から前記モータの取り付け及び取り外しが可能である。つまり，前記前面外装部材を含む様々な部品の取り外し，熱交換器の変位等を行わなくても前記モータの交換が可能である。その結果，当該空気調和機が例えば壁面などに取り付けられた状態であっても，ポンプダウン及び当該空気調和機自体の前記壁面からの取り外しを要せず，前記モータのみを容易に取り外すことが可能である。
尚，前記モータの取り出し口は，前記外装部材の一部を形成する所定の外装蓋部材により開閉可能に構成しておくことが望ましい。これにより，前記外装部材の内部に前記取り出し口を介して埃や虫等が侵入すること，前記モータの稼働時の振動音等が外部へ漏洩すること等を極力防止できる。また，前記外装部材の美観も損なわれることがない。
ところで，前記モータはゴムなど弾性部材を含んでなるモータ支持部材により支持されており，これにより前記モータの稼働時に伴う振動，騒音が緩和される。また，前記モータ支持部材には経時的な劣化が生じるため，前記モータ支持部材の定期的な交換を要する。
そこで，前記モータ支持部材が，前記外装蓋部材が開かれた状態で前記取り出し口を通じて前記モータに対して着脱可能である場合には，前記モータの取り外しを行わずとも，前記モータ支持部材のみの着脱を行うことが可能となり，前記モータ支持部材の交換の手順が簡略化される。
【発明の効果】
【０００７】
本発明のように，熱交換器により塞がれていない当該空気調和機の外装の一の方向の端部側にモータ取り出し口を設けておくことにより，前面外装部材を含む様々な部品の取り外し，熱交換器を変位させる等の作業を行わなくても，前記モータの取り付け及び取り外しが可能である。その結果，当該空気調和機が例えば壁面などに取り付けられた状態であっても，ポンプダウン及び当該空気調和機自体の前記壁面からの取り外しを要せず，前記モータのみを容易に取り外すことが可能である。
【発明を実施するための最良の形態】
【０００８】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の一実施形態に係る空気調和機の概略的な斜視図，図２は本発明の一実施形態に係る空気調和機のモータ取り付け構造を示す断面図，図３は従来例に係る空気調和機の概略的な斜視図，図４は従来例に係る空気調和機の断面図である。
【０００９】
図１に示されるように，本発明の一実施形態に係る空気調和機Ａは，所定方向（図１両矢印Ｌに沿う方向，以下，Ｌ方向という）に沿って長尺状に形成された略直方体状の外装部材の内部に，空気の吸気，排気，前記空気と所定の冷媒との熱交換等に用いられる様々な構成要素が設けられたものとして構成される。前記外装部材の前面には，従来例と同様に，前記外装部材の他の部分とは独立して取り外し可能な前面パネル部材１（前面を形成する前面外装部材の一例）が設けられている。また，前記外装部材の内部には，熱交換器２，ファン３，モータ４等（図３参照）が設けられている。前記熱交換器２，前記ファン３，前記モータ４等は従来例において説明したものと同様のものであり，前記外装部材内部における相互の位置関係も，図３及び図４に示される従来例における位置関係と同様である。
【００１０】
ところで，前記外装部材における前記Ｌ方向の一方の端部側の，矢印Ｏで示される面（以下，側面Ｏという）の部材（以下，側面部材Ｏという）には，図１（ｂ）に示されるように，前記モータ４の取り出し口６が形成されている。また，前記外装部材の内部における前記取り出し口６の近傍，詳しくは，前記取り出し口６と前記ファン３の一方の端部との間には，後に詳述する如く，前記モータ４を前記外装部材の内部に取り付けるための取り付け構造が設けられている。
また，前記取り出し口６には，該取り出し口６の形状と略同形状の板状部材である外装蓋部材７が嵌め込み可能である。詳しくは，前記取り出し口６の縁を形成する縁部と，前記外装蓋部材の外周近傍の部分とは，互いに係合する形状に形成されている。
前記外装蓋部材７は，前記側面部材Ｏから独立して取り外し可能に設けられたものである。つまり，前記外装蓋部材７は，前記側面部材Ｏへの取り付け若しくは取り外しに伴って，前記モータ４の取り出し口６を開閉可能に構成するものである。
尚，前記外装蓋部材７は，前記外装部材における他の部材から取り外しが可能なものでなくとも，前記取り出し口６を開閉可能に構成するものであれば，どのようなものであっても良い。例えば，前記側面Ｏに沿ってスライド可能なものであっても良いし，前記外装蓋部材７の端部が蝶番等で前記側面部材Ｏに対して固定されており，前記蝶番の軸を中心として回動可能に支持されたものであっても良い。
このように，本発明の一実施形態に係る空気調和機Ａでは，前記側面Ｏ側に前記モータ４の取り出し口６が形成されているため，前記前面パネル部材１，前記熱交換器２，ドレンパン５等の干渉を受けることなく（即ち，これらの要素を取り外すことなく），モータを上記ファンの軸方向から引き出して上記取り出し口６から取り出すことが可能である。
【００１１】
図２は，前記側面Ｏの側から前記モータ４の取り付け及び取り外しを可能とする取り付け構造を示す断面図である。以下，図２を参照しつつ，前記モータ４の取り付け構造について詳述する。尚，前記モータ４，前記ファン３，前記側面Ｏの概略的な位置関係は，従来例に係る空気調和機Ｂの斜視図である図３を参照されたい。
前記モータ４は，略円柱状の本体部４ａと，前記本体部４ａの一方の底面側から突出して設けられた駆動軸４ｂと，やはり前記本体部４ａの一方の底面側に設けられた前方被支持部４ｃと，前記本体部４ａの他方の底面側に設けられた後方被支持部４ｄとを有する。
前記モータ４は，前記駆動軸４ｂ，前記前方被支持部４ｃ，前記後方被支持部４ｄ各々が，後述のように前記外装部材の内部に取り付けられ支持される。
【００１２】
前記ファン３の一方の端部には，前記モータ４の有する駆動軸４ｂが嵌合される嵌合孔８ａが形成された軸受け部８が設けられている。
また，前記ファン３の前記取り出し口６の側には，弾性部材からなる前方モータカバー９が，前記外装部材に対して一体的に設けられたキャビネット等に固定されて設けられている。前記前方モータカバー９は，外周付近の複数箇所に柱部材９ａが形成された板状の部材であり，その中央部には，前方支持部９ｂ，孔部９ｃが形成されている。また，前記柱部材９ａ各々には，ネジ１１の螺着孔１２が設けられている。
更に，前記前方モータカバー９には，前記外装蓋部材７が開かれた状態で，前記取り出し口６の側から，前記前方モータカバー９とは独立かつ別体に設けられた後方モータカバー１０（モータ支持部材の一例）が取り付け可能である。
前記後方モータカバー１０は，その外周に付近の複数箇所に前記ネジ１１が貫通可能な貫通孔１３が設けられた板状部材である。また，その中央部には後方支持部１０ｂ，孔部１０ｃが設けられている。
前記モータ４は，前記取り出し口６より前記外装部材に挿入され，前記駆動軸８ｂが前記軸受け部８の嵌合孔８ａに嵌合され，前記前方被支持部４ｃが前記前方モータカバー９に形成された前方支持部９ｂに，前記後方被支持部４ｄが前記後方モータカバー１０に形成された後方支持部１０ｂに，それぞれ支持された状態（図２（ｂ）参照）で位置決めされ固定される。
尚，前記前方支持部９ｂで前記前方被支持部４ｃが支持された状態では，前記駆動軸４ｃが前記孔部９ｃを挿通するとともに，前記軸受け部８の有する前記嵌合孔８ａに嵌合されるように，前記前方モータカバー９と前記ファン３との相対位置が決定されている。
【００１３】
前記後方モータカバー１０の，前記前方モータカバー９に対する取り付けは，以下のように行う。
即ち，前記ネジ１１に前記貫通孔１３を貫通させつつ，前記螺着孔１２に螺着させることにより，前記後方モータカバー１０は前記前方モータカバー９に対して取り付けられ固定される（図２（ｂ）の状態）。また，前記前方被支持部４ｃが前記前方支持部９ｂに支持されている状態では，そのようなネジ止めに伴って，前記後方被支持部４ｃは前記後方支持部４ｂに嵌め込まれ支持される状態にされる。
尚，前記前方モータカバー９と前記後方モータカバー１０との相互の当接部を，互いに係合するような形状に形成しておく場合には，ネジ１１による固定は必ずしも必要としない。
以上により，前記モータ４は周囲の略全部が前記前方モータカバー９及び前記後方モータカバー１０により弾性的に支持された状態になる。これにより，前記モータ４の駆動時における振動が効果的に緩和される。
前記前方モータカバー９及び前記後方モータカバー１０には，前記モータ４の振動緩和に伴う経時的な劣化が生じるが，前記後方モータカバー１０は前記取り出し口６を通じて前記モータ４に対して着脱可能であり，簡単に交換を行うことが可能である。また，前記前方モータカバー９も交換を要する場合が考えられるので，前記外装部材の内部に固定する本実施形態の構造以外にも，前記前方モータカバー９が前記取り出し口６を通じて取り外しが可能に設けられた構造を採用しても良い。
【００１４】
ところで，前記軸受け部８には，前記嵌合孔８ａに対する前記駆動軸４ｂの挿入方向に垂直な方向から，前記嵌合孔８ａの内部に向けて出没自在な連結部材１４が設けられている。また，前記駆動軸４ｂには前記連結部材１４に対する当接部である窪み部４ｅが設けられている。前記嵌合孔８ａに前記駆動軸４ｂが挿入された状態で，前記連結部材１４を前記嵌合孔８ａに内部に突出させると，前記窪み部４ｅに前記連結部材９が当接される（図２（ｂ）の状態）。これにより，前記駆動軸４ｂが前記嵌合孔８ａに嵌合された状態で固定され，かつ前記モータ４による駆動力が前記ファン３に伝えられる。
前記連結部材１４の出没は，例えば前記ファン３の外面に設けられた機械的スイッチの手動操作に連動して，機械的に行われるようにすることが考えられる。
一方，自動で前記連結部材９を出没させるようにすることも可能であり，この場合には前記モータ４の取り付け及び取り外しの手間が省略される。例えば，図１に示される，前記取り出し口６の近傍に，該外装蓋部材７が前記外装部材に取り付けられたか否かを検知するセンサを設けておく。また，前記連結部材１４の近傍に，前記連結部材１４を出没駆動させるアクチュエータを設けておく。そのアクチュエータを，前記センサの検出結果に連動して制御することにより，前記取り出し口６が開いている状態では，前記連結部材１４を突出させずに前記駆動軸４ｂが挿入可能である状態（図２の状態）にする。一方，前記外装蓋部材７が前記取り出し口６を塞いだ状態では，前記連結部材１４を突出させて前記駆動軸４ｂを固定する状態にすることが可能である。
以上，本実施形態のように，前記熱交換器２により塞がれていない当該空気調和機Ａの側面Ｏ側に，前記モータ４の取り出し口６を形成しておくことにより，前面前面パネル部材１，前記熱交換器２等の様々な部品の取り外しを行わなくても前記モータ４の取り付け及び取り外しが可能である。その結果，当該空気調和機Ａが例えば壁面などに取り付けられた状態であっても，ポンプダウン及び当該空気調和機Ａ自体の前記壁面からの取り外しを要せず，前記モータ４のみを容易に取り外すことが可能である。
【図面の簡単な説明】
【００１５】
【図１】本発明の一実施形態に係る空気調和機の概略的な斜視図。
【図２】本発明の一実施形態に係る空気調和機のモータ取り付け構造を示す断面図。
【図３】従来例に係る空気調和機の概略的な斜視図。
【図４】従来例に係る空気調和機の断面図。
【符号の説明】
【００１６】
Ａ…本発明の一実施形態に係る空気調和機
Ｂ…従来例に係る空気調和機
１…前面パネル部材
２…熱交換器
３…ファン
４…モータ
５…ドレンパン
６…取り出し口
７…外装蓋部材
８…軸受け部
９…前方モータカバー
１０…後方モータカバー
１１…ネジ
１２…螺着孔
１３…貫通孔
１４…連結部材
【図１】
2007155244.tif 000003
【図２】
2007155244.tif 000004
【図３】
2007155244.tif 000005
【図４】
2007155244.tif 000006